(57)【特許請求の範囲】
【請求項１】
所定位置に配置された照明器具の調光を制御する調光制御装置であって、
画像を撮影する画像撮影装置からの撮影画像を取得する画像取得部と、
前記画像取得部により取得された撮影画像を表示する画像表示部と、
前記照明器具を識別するための識別情報と、当該識別情報により識別される照明器具による照射位置に係る照射位置情報と、を対応付けて記憶する情報記憶部と、
前記画像表示部に表示された撮影画像への入力を検出するタッチパネルと、
前記情報記憶部に記憶された情報のうち、前記タッチパネルにより検出された入力位置が前記照射位置に含まれる前記照射位置情報、に対応付けられた識別情報により識別される照明器具を指定する照明器具指定部と、
前記照明器具指定部により指定された照明器具が複数存在する場合、各照明器具の調光を同時に制御する調光制御部と、
を備える調光制御装置。
【請求項２】
請求項１に記載の調光制御装置であって、
前記タッチパネルは、前記画像表示部に表示された画像への複数の入力位置に対する同時入力であるマルチタッチ入力を検出し、
前記調光制御部は、前記タッチパネルへの前記マルチタッチ入力に基づいて、前記照明器具の調光を制御する調光制御装置。
【請求項３】
所定位置に配置された照明器具の調光を制御するための調光制御方法であって、
画像を撮影する画像撮影装置からの撮影画像を取得するステップと、
前記取得された撮影画像を表示部に表示するステップと、
前記表示された撮影画像への入力をタッチパネルにより検出するステップと、
前記照明器具を識別するための識別情報と、当該識別情報により識別される照明器具による照射位置に係る照射位置情報と、を対応付けて記憶する情報記憶部に記憶された情報のうち、前記タッチパネルにより検出された入力位置が含まれる照射位置に係る前記照射位置情報、に対応付けられた識別情報により識別される照明器具を指定するステップと、
前記指定された照明器具が複数存在する場合、各照明器具の調光を同時に制御するステップと、
を有する調光制御方法。
【請求項４】
請求項３に記載の調光制御方法の各ステップをコンピュータに実行させるための調光制御プログラム。
【発明の詳細な説明】
【技術分野】
【０００１】
本発明は、調光制御装置、調光制御方法、及び調光制御プログラムに関する。
【背景技術】
【０００２】
従来、複数の照明器具の中から所望の照明器具を点灯／消灯させたり、調光したり、照明器具による照射方向等を調整したりするための調光制御装置が、一般的に使用されている。
【０００３】
例えば、水平回転、垂直回転、フォーカスの動作、及びバンドアーの開閉、回転などの機能を制御可能な動力装置を備えたスポットライトの照射方向等の制御装置が知られている（例えば、特許文献１参照）。この制御装置は、画像表示装置にプラン図とスポットライトの取付位置、及び照射方向を表示させ、画像表示上の透明デジタイザー、或いはジョイスティック等で照射点を指定し、スポットライトの取付位置と照射点から自動的にスポットライトの水平角、垂直角を演算し、出力すると同時にスポットライトのフォーカス、バンドアーデータを送出してスポットライトを制御し、且つ、画像表示装置に表示するムービングスポットライトの制御装置である。
【０００４】
また、照明ライトの照射方向を目視可能なスポットビームで直接指定でき、照明仕込みの時間を低減させ、所望する照明パターンを得るようにした照明ライトの自動制御システムが知られている（例えば、特許文献２参照）。この自動制御システムは、目視可能な可視光および赤外線のスポットビームＢを投射するシューティングポインタと、このシューティングポインタから投射されたスポットビームの投射位置を撮像する固体撮像装置と、この固体撮像装置で撮像されたスポットビームの投射位置を記録する画像処理装置と、この画像処理装置からのスポットビーム投射位置に関する信号を演算処理し、操作指令信号を出力するコントローラと、このコントローラからの操作指令信号により特定の照明ライトを三次元駆動させるライト駆動装置を備えた照明器具とを有し、このライト駆動装置により特定の照明ライトをスポットビームの照射位置の方向へ指向させたものである。
【０００５】
また、照明負荷の調光レベルを制御し、複数シーンを同時にクロスチェンジすることが可能な調光装置が知られている（例えば、特許文献３参照）。この調光装置は、所定スイッチが押下されると、再生中のクロスチェンジ元のシーン再生状態を記憶し、この状態を保持しつつクロスチェンジ先のシーン再生状態の設定を受け付ける。クロスチェンジ先のシーン再生状態が設定されると、クロスチェンジ元のシーン再生状態、クロスチェンジ先のシーン再生状態、及び、クロスチェンジする際に操作されるフェーダのレベルに基づいて、クロスチェンジ元のシーン再生状態からクロスチェンジ先のシーン再生状態にクロスチェンジする際の照明負荷に対する出力レベルを決定し、照明負荷を制御する。
【先行技術文献】
【特許文献】
【０００６】
【特許文献１】特開平４−０６２７０３号公報
【特許文献２】特開平６−０９６８６７号公報
【特許文献３】特開２００６−１４７４８９号公報
【発明の概要】
【発明が解決しようとする課題】
【０００７】
ところで、調光制御装置が配置される調光操作卓によりシーンを作成する場合、スポットライトの調光レベルを操作したり、ホリゾントの色を調整したりすることにより、全体のシーンとしての明かりを作成する。この明かりの作成方法では、ユーザが調光操作卓のキースイッチやフェーダ等のレベル調整機能により調光レベルを操作し、モニタ上のレベル表示（数字表示）を確認し、さらにステージ上の照明器具の実際の明かりの状態（明かり状態）を目で確認することによって、明かりが作成される。
【０００８】
図１８は、従来の明かりの作成方法を説明するためのイメージ図である。図１８に示すように、調光対象が実際のステージＳＴ上の照明器具であるのに対し、調光を行うための入力手段がユーザの手元にある調光操作卓ＣＳのキーやフェーダであり、その設定レベルがモニタＭＴに表示されることになる。
【０００９】
そのため、ステージＳＴ上の照明器具の明かり状態の確認（Ｃ１）、調光操作卓ＣＳ上の入力手段への操作の確認（Ｃ２）、入力手段による設定レベルのモニタＭＴによる確認（Ｃ３）、等の複数の目視確認を行う必要があった。したがって、入力間違いや操作の間違いを引き起こすことがあった。またそれだけ手間がかかるため、仕込み操作に時間を要していた。
【００１０】
本発明は、上記事情に鑑みてなされたものであって、仕込みに要する時間を短縮し、かつ、誤入力を防止することが可能な調光制御装置、調光制御方法、及び調光制御プログラムを提供することを目的とする。
【課題を解決するための手段】
【００１１】
上記課題を解決するために、本発明の調光制御装置は、所定位置に配置された照明器具の調光を制御する調光制御装置であって、画像を撮影する画像撮影装置からの撮影画像を取得する画像取得部と、前記画像取得部により取得された撮影画像を表示する画像表示部と、前記照明器具を識別するための識別情報と、当該識別情報により識別される照明器具による照射位置に係る照射位置情報と、を対応付けて記憶する情報記憶部と、前記画像表示部に表示された撮影画像への入力を検出するタッチパネルと、前記情報記憶部に記憶された情報のうち、前記タッチパネルにより検出された入力位置が前記照射位置に含まれる前記照射位置情報、に対応付けられた識別情報により識別される照明器具を指定する照明器具指定部と、前記照明器具指定部により指定された照明器具が複数存在する場合、各照明器具の調光を同時に制御する調光制御部と、を備える。
【００１２】
また、この発明において、前記タッチパネルが、前記画像表示部に表示された画像への複数の入力位置に対する同時入力であるマルチタッチ入力を検出し、前記調光制御部が、前記タッチパネルへの前記マルチタッチ入力に基づいて、前記照明器具の調光を制御することが好ましい。
【００１６】
また、本発明の調光制御方法は、所定位置に配置された照明器具の調光を制御するための調光制御方法であって、画像を撮影する画像撮影装置からの撮影画像を取得するステップと、前記取得された撮影画像を表示部に表示するステップと、前記表示された撮影画像への入力をタッチパネルにより検出するステップと、前記照明器具を識別するための識別情報と、当該識別情報により識別される照明器具による照射位置に係る照射位置情報と、を対応付けて記憶する情報記憶部に記憶された情報のうち、前記タッチパネルにより検出された入力位置が含まれる照射位置に係る前記照射位置情報、に対応付けられた識別情報により識別される照明器具を指定するステップと、前記指定された照明器具が複数存在する場合、各照明器具の調光を同時に制御するステップと、を有する。
【００１７】
また、本発明の調光制御プログラムは、上記調光制御方法の各ステップをコンピュータに実行させるためのプログラムである。
【発明の効果】
【００１８】
本発明によれば、仕込みに要する時間を短縮し、かつ、誤入力を防止することが可能である。
【図面の簡単な説明】
【００１９】
【図１】本発明の第１の実施形態における照明器具の調光を簡単に説明するためのイメージ図
【図２】本発明の第１の実施形態における調光制御装置の構成の一例を示すブロック図
【図３】本発明の第１の実施形態におけるカメラによりステージ上の様子が撮影された撮影画像の表示例を示す図
【図４】本発明の第１の実施形態における照明器具とその照明器具による照射位置とを対応付けるための動作の一例を説明するための図
【図５】本発明の第１の実施形態における照明器具とその照明器具による照射位置との関係の一例を示す図
【図６】本発明の第１の実施形態における照明器具による照射位置を抽出した抽出画像の一例を示す図
【図７】本発明の第１の実施形態における照射位置を特定して照明器具の調光を制御するための動作の一例を説明するための図
【図８】本発明の第１の実施形態におけるタッチされた位置を照射する照明器具が複数存在する状態を示す図
【図９】本発明の第２の実施形態における調光制御装置の構成の一例を示すブロック図
【図１０】本発明の第２の実施形態における調光制御装置がマルチタッチ操作により調光レベルを制御する際の動作の一例を示すフローチャート
【図１１】本発明の第２の実施形態におけるタッチパネルへのピンチ操作により調光レベルを大きくしたり小さくしたりする表示例を示す図
【図１２】本発明の第２の実施形態における複数の照明器具をマルチタッチ操作（ピンチ操作）により同時に調光制御を行っている状態を示す図
【図１３】本発明の第３の実施形態における調光制御装置の構成の一例を示すブロック図
【図１４】本発明の第３の実施形態におけるホリゾント幕が照明器具により特定の色に染められた状態の一例を示す図
【図１５】本発明の第３の実施形態におけるタッチパネルにより照射光色を指定することを示す図
【図１６】本発明の第３の実施形態におけるホリゾント幕に照射される光の調光レベルをマルチタッチ操作により指定することを示す図
【図１７】本発明の実施形態における明かりの作成方法を説明するためのイメージ図
【図１８】従来の明かりの作成方法を説明するためのイメージ図
【発明を実施するための形態】
【００２０】
以下、本発明の実施形態について、図面を参照しながら説明する。
【００２１】
（第１の実施形態）
図１は、本発明の第１の実施形態における照明器具の調光を簡単に説明するためのイメージ図である。図１に示すように、実際のステージＳＴがカメラ４により撮影される。撮影されたこの撮影画像は、表示部（モニタ）３０に映し出される。表示部３０に映し出されたステージＳＴ上には、照明器具３が配置されている。表示部３０の画面上にはタッチパネルが配置されており、表示部３０上の任意の位置に指ＦＧ等で押下又は接触（タッチ）することで、タッチパネルへの入力が検出される。検出された入力の位置情報は、入力位置情報として、調光制御卓ＣＳ等に配置された制御部へ送られる。この制御部は、入力位置情報に基づいて指定される照明器具３の調光を制御するための調光制御信号を生成する。この調光制御信号は、照明器具３を調光する調光盤２へ送られ、照明器具３は所望の調光レベルで調光されることになる。なお、本実施形態では、調光制御には、調光レベルつまり明るさを制御することのみでなく、単に点灯／消灯するよう制御することも含む。
【００２２】
図１は、本発明の第１の実施形態における調光制御装置の構成の一例を示すブロック図である。図１に示す調光制御装置１は、画像取得部１０、タッチパネル２０、表示部３０、制御部４０、データ記憶部５０、出力部６０、を有して構成される。調光制御装置１は、ステージ（舞台）、宅内、街路等の所定位置に配置された照明器具３の調光を制御するものである。以下では、主にステージＳＴ上に照明器具３が配置されているものとして説明する。また、この調光制御装置１は、調光操作卓ＣＳ等に配置される。
【００２３】
カメラ４は、ステージＳＴ上の画像を撮影する画像撮影装置としての機能を有する。カメラ４は、ステージＳＴと対向する例えばホール中央に設置され、ステージＳＴを正面から撮影可能であることが好ましい。カメラ４がステージＳＴ正面に設置されることで、照明器具３を調光するための調光室からステージＳＴ上の照明器具３の明かりを目視確認できない場合であっても、カメラ４による撮影画像により実際のステージＳＴ上の明かりの具合を確認可能である。また、カメラ４は設置後には動かされず、カメラ設置位置や撮影方向が固定される。したがって、カメラ４により毎回同じ撮影範囲の画像を撮影することができる。
【００２４】
また、カメラ４により撮影された撮影画像は、調光制御装置１へ送られる。例えば、調光制御装置１が配置される調光操作卓ＣＳが調光室に設置され、調光室がステージＳＴに向かって正面である場合など、調光制御装置１とカメラ４との距離が短い場合には、カメラ４と調光制御装置１とをＵＳＢ(Universal Serial Bus）などのインタフェースを用いて接続することができる。また、調光室がステージＳＴ正面にない場合や、調光室とステージＳＴとの距離が長い場合など、調光制御装置１とカメラ４との距離が長い場合には、イーサネット（登録商標）を用いた有線ＬＡＮなどの通信線でカメラ４と調光制御装置１とを接続可能である。また、有線ＬＡＮの配線設備がない場合であっても、無線ＬＡＮなどの方式を用いて、新たに配線を敷設しないで、カメラ４と調光制御装置１とを接続可能である。
【００２５】
画像取得部１０は、カメラ４により撮影された撮影画像を取得する。画像取得部１０は、ＵＳＢを介してカメラ４から撮影画像を取得してもよいし、有線ＬＡＮや無線ＬＡＮを介してカメラ４から撮影画像を送信してもよい。
【００２６】
タッチパネル２０は、表示部３０上に配置され、ペンや指（指等）で押下することで調光制御装置１の動作、設定に必要な情報を入力する入力インタフェースとして機能する。例えば、タッチパネル２０は、表示部３０に表示された撮影画像を押下等することで、撮影画像への入力として検出する。タッチパネル２０により、感覚的な操作が可能になる。なお、タッチパネル２０への入力は、押下ではなく接触のみすることで行われてもよい。以下では、主に押下によりタッチパネル２０への入力を行うことを説明する。また、タッチパネル２０は、入力された入力座標等を含むタッチ入力信号を制御部４０へ出力する。
【００２７】
表示部３０は、撮影画像を表示させる液晶ディスプレイやＬＥＤ表示器等により構成され、調光制御装置１の操作、設定に必要な各画面を表示する表示インタフェースして機能する。例えば、表示部３０は、図３に示すような、カメラ４により撮影されたステージＳＴ上の様子を示す撮影画像を表示する。
【００２８】
制御部４０は、調光制御装置１全般の信号処理を行い、様々な制御を行う。制御部４０は、画像処理部４１、調光制御部４２、照明器具指定制御部４３を備える。画像処理部４１は、画像取得部１０により取得された撮影画像に対して画像処理を行う。調光制御部４２は、照明器具３の調光を制御するための調光制御信号を生成する。照明器具指定部４３は、ユーザ操作により特定された位置を照射するための照明器具３を指定する。
【００２９】
情報記憶部５０は、各種情報を記憶する。例えば、タッチパネル２０により入力された、照明器具３を調光するための各回路の出力レベル（調光レベル）の情報を記憶する。この調光レベルの情報は、調光制御情報に含まれるものである。また、情報記憶部５０は、照明器具３とその照明器具３による照射位置の情報とを対応付けて記憶するデータベースを有している。さらに、情報記憶部５０は、制御部４０により所定の処理を実行するためのプログラムやデータ等を記憶しており、本実施形態の調光制御プログラムも記憶する。
【００３０】
出力部６０は、調光制御部４２により生成された調光制御情報に基づいて、調光盤２へ調光制御信号（例えば、ライティングコントロールとして規格化されたＤＭＸ５１２形式の制御信号）を出力する。調光制御信号は、調光制御情報を含むものである。
【００３１】
調光盤２は、調光制御装置１からの調光制御信号に基づいて、照明器具３が指示された調光レベルで光出力するよう調光する。照明器具３は、蛍光ランプやスポットライトなどであり、照明器具３には照明負荷が配設される。
【００３２】
次に、調光制御装置１の動作について説明する。
【００３３】
調光制御装置１では、画像取得部１０がカメラ４からの撮影画像を取得し、取得された撮影画像を表示部３０が表示する。また、情報記憶部５０が、照明器具３を識別するための識別情報と、当該識別情報により識別される照明器具３による照射位置に係る照射位置情報と、を対応付けて記憶し、タッチパネル２０が表示部３０に表示された撮影画像への入力を検出する。照明器具指定制御部４３は、情報記憶部５０に記憶された情報のうち、タッチパネル２０により検出された入力位置が照射位置に含まれる照射位置情報、に対応付けられた識別情報により識別される照明器具３を、調光対象に指定する。そして、調光制御部４２が、調光対象の照明器具３の調光を制御する。
【００３４】
このように、照明器具指定制御部４３が調光対象の照明器具３を指定するが、そのためには、各照明器具３が照射することが可能な照射位置を把握しておく必要がある。
【００３５】
図４は、所定の照明器具３Ａとその照明器具３Ａによる照射位置とを対応付けるための動作の一例を説明するための図である。ここでは、照明器具３Ａが調光レベル１００で点灯・調光されることを想定する。なお、調光制御部４２は、照明器具３とその照明器具３に調光指示を行う調光盤２２との対応関係の情報４２ａをあらかじめ保持している。調光盤２には、照明器具３に接続される制御回路が含まれている。
【００３６】
まず、調光制御部４２が、調光対象の照明器具３Ａを点灯するよう制御し、必要な調光を行う。このとき、タッチパネル２０等の入力手段により照明器具３の調光が指示されると、調光制御部４２が、照明器具３Ａが接続された制御回路を有する調光盤２Ａを検索し、特定する。照明器具３Ａに接続された調光盤２Ａが特定されると、調光制御部４２の調光演算部４２１により所定の調光演算を行い、調光レベル１００となるよう制御するための調光制御信号を生成する。この調光制御信号には、調光盤２Ａが有する制御回路の回路番号の情報と調光レベルの情報とが含まれる。出力部６０は、この調光制御信号を含む調光信号を調光盤２Ａへ出力する。
【００３７】
調光盤２Ａは、出力部６０からの調光信号を入力し、信号変換して、照明器具３Ａへ送信する。この信号変換の処理では、調光信号を構成するＤＭＸ５１２等のデジタル信号を、調光信号が示す調光レベルに応じて、例えば０Ｖ〜１００Ｖの電圧信号に変換する。ここでは、調光レベル１００を想定するので、調光レベル１００を電圧１００Ｖで達成する場合には、１００Ｖの電圧信号に変換することになる。調光盤２Ａは、変換された電圧信号を配下の照明器具３Ａに送信する。その結果、照明器具３Ａは、ステージＳＴ上で調光レベル１００の光を照射する。
【００３８】
図５は、照明器具３Ａとその照明器具３Ａによる照射位置との関係の一例を示す図である。図５では、ステージＳＴ上で照明器具３Ａのみ点灯しており、他の照明器具３は消灯している状態である。カメラ４は、この状態を撮影して映像信号に変換し、調光制御装置１へ送信する。
【００３９】
調光制御装置１の画像取得部１０は、この映像信号を受信し、この映像信号を画像取得部１０で処理可能な画像信号に変換（デコード処理）する。そして、画像処理部４１は、照射範囲特定演算部４１１により、照明器具３Ａにより照射されている撮影画像上の位置（照射位置）Ｐを検出する。そして、照射範囲特定演算部４１１は、撮影画像から照明器具３Ａによる照射位置に相当する画像（抽出画像）４１ａを抽出する。図６は、照明器具３Ａによる照射位置を抽出した抽出画像４１ａの一例を示す図である。
【００４０】
照射範囲特定演算部４１１は、撮影画像の各画素における明度値に基づいて、照明器具３Ａによる照射位置を認識することができる。具体的には、撮影画像の各画素におけるＲＧＢの明度値と所定の明度値（閾値）とを比較し、その比較の結果、所定の明度値（例えば、最大明度の５０％）よりも撮影画像の明度値が大きい画素を、照射されている範囲と認識してもよい。
【００４１】
また、照射範囲特定演算部４１１は、撮影画像上の明度値と実際のステージＳＴ上の輝度値を対応付けるための変換テーブルを保持する場合には、撮影画像の各画素における明度値に対応する輝度値に基づいて、照明器具３Ａによる照射位置を認識することができる。具体的には、上記の変換テーブルを保持しておき、明度値から変換された輝度値と所定の輝度値（閾値）とを比較し、その比較の結果、所定の輝度値よりも撮影画像に対応する輝度値が大きい画素を、照射されている範囲と認識してもよい。
【００４２】
なお、照明器具３は、ワット数や種類に応じて明るさ（輝度）が異なる。そのため、あらかじめ照明器具３のワット数や種類を入力手段で入力し、情報記憶部５０がこれらの情報を保持しておくことで、照射範囲特定演算部４１１が認識する照明器具３による照射位置の誤差が小さくすることができる。
【００４３】
そして、制御部４０は、照明器具３Ａによる照射位置の抽出画像４１ａと照明器具３Ａに接続された制御回路の番号等の回路情報４２ａとを対応付けて、情報記憶部５０に記憶させる。また、抽出画像を記憶させるのではなく、照明器具３Ａの識別情報、照明器具３Ａに接続された制御回路の識別情報、照明器具３Ａにより照射された照射位置に係る照射位置情報、等を対応づけて情報記憶部５０に記憶させてもよい。なお、照射位置情報とは、例えば、表示部３０の画面上での照明器具３Ａにより照射されている座標の情報である。
【００４４】
このような特定の照明器具３Ａと照明器具３Ａによる照射位置とを対応づけることで、所望の照射位置を選択するだけで、その照射位置に対応する照明器具３が調光対象として指定され、所望の照射位置を照射することが可能である。
【００４５】
なお、全ての照明器具３をステージＳＴ上に設置し、パッチ仕込みを終えた後に、制御部４０でのコマンド実行により、全ての照明器具３について、照射位置の対応付けを行うようにしてもよい。なお、パッチ仕込みとは、照明器具３とその照明器具３の調光レベルとの対応付けをあらかじめ行い、記憶させておくことである。また、調光レベルの制御は、例えば入力手段としてのフェーダにより行われる。
【００４６】
制御部４０での上記コマンドの実行が完了すると、調光操作卓ＣＳ等で操作すべき回路の識別情報（回路番号等）、その回路の識別情報に対応する照明器具３の識別情報、及び、撮影画像上でのその照明器具３による照射位置と範囲の情報、の対応付けが完了する。この対応付けの情報を情報記憶部５０が記憶しておくことで、調光制御装置１は、回路番号や照明器具３や照射位置から、他の情報を検索して利用することが可能な状態となる。
【００４７】
次に、所望の照射位置を照明器具３により照射する際の動作について説明する。
【００４８】
先に説明したように、回路の識別情報、照明器具３の識別情報、照射位置情報等が対応付けされた後、調光制御装置１は、これらの情報を基に、タッチパネル２０への入力に基づいて、必要な照明器具３の調光を制御することが可能になる。
【００４９】
図７は、照射位置を特定して照明器具３の調光を制御するための動作の一例を説明するための図である。ここでは、調光対象として照明器具３を選択する場合を想定する。
【００５０】
まず、ユーザは、タッチパネル２０が配置された表示部３０に表示された撮影画像３０ａを見ながら、必要な操作を行う。表示部３０の画面に対して、明かりの照射を希望する任意の位置に指ＦＧ等でタッチすると、タッチパネル２０が、タッチされた位置に対する入力を検出し、タッチ入力信号を制御部４０へ送る。タッチ入力信号には、タッチされた座標（Ｘ，Ｙ）の情報が含まれる。
【００５１】
制御部４０は、タッチパネル２０からのタッチ入力信号を受け取ると、照明器具指定制御部４３により、情報記憶部５０に記憶された抽出画像のうち、タッチされた座標が照射位置Ｐ内に存在する抽出画像を抽出すべく、マッチング処理を行う。ここでの抽出画像には、例えば、照明器具３Ａに対応する抽出画像４１ａ、照明器具３Ｂ（不図示）に対応する抽出画像４１ｂ、照明器具３Ｃ（不図示）に対応する抽出画像４１ｃ、が含まれる。マッチング処理時には、照明器具指定制御部４３は、抽出画像における照射位置Ｐの座標を認識するようにする。マッチング処理の結果、照明器具指定制御部４３は、タッチされた座標が照射位置Ｐに含まれる抽出画像（例えば図７に示す符号４１ａ）を特定し、その抽出画像に対応する回路情報を特定する。これにより、調光盤２を特定することができ、調光盤２に対応する照明器具３を特定することができる。
【００５２】
また、抽出画像ではなく、照射位置情報を情報記憶部５０が記憶している場合には、照明器具指定制御部４３は、情報記憶部５０に記憶された照射位置情報のうち、タッチされた座標がその照射位置情報に係る照射位置Ｐ内に存在するものを抽出する。そして、照明器具指定制御部４３は、抽出された照射位置情報に対応する照明器具を特定する。
【００５３】
タッチされた座標を含む照射位置を照射する照明器具３が特定されると、調光制御部４２は、特定された照明器具３の調光を制御する。この結果、タッチされた座標の周辺が特定された照明器具３により照射される。そして、表示部３０の画面上には、照明器具３が調光された様子が撮影された撮影画像３０ｂが表示される。
【００５４】
このように、照射位置を特定して照明器具３の調光を制御することで、ユーザが撮影画像上の所望の照射位置をタッチするだけで、その照射位置を照明器具３により照射することが可能である。また、照射された結果は撮影画像として直ぐに反映されるので、ユーザは表示部３０を確認するだけで、ステージ上の明かりの具合を認識することができる。さらに、表示部３０上にタッチパネル２０が配置されているため、入力操作の確認と入力操作による調光結果の確認を、同じ表示部３０の画面上で行うことができる。
【００５５】
なお、タッチされた座標が照射位置Ｐに含まれる抽出画像が複数存在する場合、つまりタッチされた座標が複数の照射位置情報に係る照射位置Ｐ内に存在する場合には、タッチされた位置を照射する複数の照明器具３を同時に調光対象としてもよい。これにより、所望の照射位置を照射する照明器具３の調光をまとめて行うことができ、操作性が向上する。
【００５６】
また、複数の照明器具３のいずれかをタッチパネル２０等を介して選択し、１つまたは一部の照明器具３を調光対象としてもよい。この場合、照明器具指定制御部４３は、例えば表示部３０上に、照明器具３を選択するための照明器具３に対応する操作ボタンを表示させ、所望の照明器具３に対応する操作ボタンを選択する。図８は、タッチされた位置を照射する照明器具３が複数存在する状態を示す図である。
【００５７】
このような本実施形態の調光制御装置１によれば、ユーザによる目視確認を必要とする位置が集約されるので、仕込み（パッチ仕込み）に要する時間を短縮し、かつ、誤入力を防止することが可能である。
【００５８】
（第２の実施形態）
本実施形態では、照明器具３の調光制御を行う手段として、物理的な入力操作手段であるフェーダを用いる代わりに、タッチパネル２０を利用して感覚的に照明器具３の調光を行うことを想定している。その他については、第１の実施形態と同様である。
【００５９】
図９は、本発明の第２の実施形態における調光制御装置の構成の一例を示すブロック図である。図９に示す調光制御装置１Ｂは、図２に示した調光制御装置１と比較すると、タッチパネル２０に代わりタッチパネル２０Ｂを備える。また、制御部４０に代わり制御部４０Ｂを備える。また、制御部４０Ｂは、調光制御部４２に代わり調光制御部４２Ｂを備える。なお、図９において、図２に示した調光制御装置１と同じ構成については、同一の符号を付し、説明を省略又は簡略化する。
【００６０】
タッチパネル２０Ｂは、マルチタッチ方式を採用しており、複数の指等によるタッチパネル２０Ｂへの同時入力（マルチタッチ入力）を認識できる機能を有している。
【００６１】
調光制御部４２は、タッチパネル２０へのマルチタッチ入力に基づいて、調光対象の調光レベルを制御する。ここでは、主に後述するピンチ操作を行い、ピンチ操作に基づき調光レベルを制御する。
【００６２】
次に、調光制御装置１Ｂの動作について説明する。
図１０は、調光制御装置１Ｂがマルチタッチ操作により調光レベルを制御する際の動作の一例を示すフローチャートである。また、図１１は、タッチパネル２０Ｂへのピンチ操作により調光レベルを大きくしたり小さくしたりする場合の表示例を示している。
【００６３】
図１０に示すように、まず、調光制御部４２は、所定の調光レベルで照明器具３が点灯するよう、照明器具３を制御している（ステップＳ１０１）。
【００６４】
タッチパネル２０Ｂは、複数の指ＦＧ等で押下すると複数の入力座標（第１の入力座標）を検出し、入力信号を制御部４０Ｂへ送る。制御部４０Ｂは、指ＦＧ等の間隔つまり複数の入力座標（第１の入力座標）間の距離（第１の距離）を認識する。
【００６５】
続いて、制御部４０Ｂは、タッチパネル２０を押下した状態（タッチ状態）で、ユーザが複数の指ＦＧ等を広げたり狭めたりする操作（ピンチ操作）を行ったか否かを判定する（ステップＳ１０２）。
【００６６】
ピンチ操作を行った場合には、タッチパネル２０により操作後の複数の入力座標（第２の入力座標）を検出し、制御部４０Ｂは、操作後の指ＦＧ等の間隔つまり操作後の複数の入力座標（第２の入力座標）間の距離（第２の距離）を認識する。
【００６７】
そして、制御部４０Ｂは、第２の距離が第１の距離よりも長いと判断した場合、つまりピンチ操作前後の入力座標間の距離が長くなったと判断した場合には、ユーザが指ＦＧ等を広げたもの（拡大操作）と判断する。そして、調光制御部４２Ｂは、調光対象の照明器具３の調光レベルを現在の調光レベルよりも大きくする（明るくする）よう制御する（ステップＳ１０３）。
【００６８】
また、ピンチ操作により指ＦＧ等をどの程度広げるかに応じて、つまり第２の距離と第１の距離との差に応じて、調光レベルを決定すると、より感覚的に理解しやすくなる。例えば、調光制御部４２Ｂは、７０％の調光レベルで出力中に、指等の間隔を１０pixel広げるピンチ操作を行うと７１％の調光レベルに変換して調光制御を行い、指ＦＧ等の間隔を１００pixel広げるピンチ操作を行うと８０％の調光レベルに変換して調光制御を行う。
【００６９】
一方、制御部４０Ｂは、第２の距離が第１の距離よりも短いと判断した場合、つまりピンチ操作前後の入力座標の距離が短くなったと判断した場合には、ユーザが指ＦＧ等を狭めたもの（縮小操作）と判断する。そして、調光制御部４２Ｂは、調光対象の照明器具３の調光レベルを現在の調光レベルよりも小さくする（暗くする）よう制御する（ステップＳ１０４）。
【００７０】
また、ピンチ操作により指等をどの程度狭めるかに応じて、つまり第２の距離と第１の距離との差に応じて、調光レベルを決定すると、より感覚的に理解しやすくなる。例えば、調光制御部４２Ｂは、７０％の調光レベルで出力中に、指等の間隔を１０pixel狭めるピンチ操作を行うと６９％の調光レベルに変換して調光制御を行い、指ＦＧ等の間隔を１００pixel狭めるピンチ操作を行うと６０％の調光レベルに変換して調光制御を行う。
【００７１】
このような調光制御装置１Ｂによる照明器具３の調光によれば、キーボード、キースイッチ、マウス、フェーダなどの物理的な装置を特別に操作することなく、感覚的に照明器具３の調光操作を行うことができる。その結果、調光操作も表示部３０上に配置されたタッチパネル２０により行うことができ、ユーザによる目視確認を必要とする位置が集約されるので、仕込み時間の短縮化と、調光作業の効率化を図ることができる。
【００７２】
なお、タッチされた位置を照射する照明器具３が複数存在する場合には、同時に調光制御を行うことができる。したがって、タッチされた位置に応じて複数の照明器具３を調光対象とし、マルチタッチ操作により複数の照明器具３の調光制御を同時に行うことができる。なお、複数の照明器具３の１つまたは一部に対してのみ、調光制御を行うようにしてもよい。図１２は、複数の照明器具３をマルチタッチ操作（ピンチ操作）により同時に調光制御を行っている状態を示す図である。
【００７３】
（第３の実施形態）
本実施形態では、照明器具３により照射される光の色を指定することを想定し、特に、ホリゾント幕に照射する光の色を指定することを想定する。その他については、第１の実施形態又は第２の実施形態と同様である。
【００７４】
図１３は、本発明の第３の実施形態における調光制御装置の構成の一例を示すブロック図である。図１３に示す調光制御装置１Ｃは、図２に示した調光制御装置１と比較すると、制御部４０に代わり制御部４０Ｃを備える。また、制御部４０Ｃは、調光制御部４２に代わり調光制御部４２Ｃ、照明器具指定制御部４３に代わり照明器具指定制御部４３Ｃを備える。また、情報記憶部５０に代わり情報記憶部５０Ｃを備える。なお、図１３において、図２に示した調光制御装置１と同じ構成については、同一の符号を付し、説明を省略又は簡略化する。
【００７５】
本実施形態では、ステージＳＴ上に、ステージＳＴ上の任意の位置を照射する照明器具３としてのスポットライト３Ｓ等の他に、照明器具３の一種であり、ステージＳＴの背景用の布製の幕（ホリゾント幕）を照射するホリゾントライト３Ｈが配置される。スポットライト３Ｓ等とは、ホリゾントライト３Ｈ以外の照明器具３である。
【００７６】
本実施形態のホリゾントライト３Ｈには、Ｒ（赤）、Ｇ（緑）、Ｂ（青）のフィルタが挿入されている。これらの色フィルタが挿入されたホリゾントライト３Ｈの各々の調光レベルが調整されることで、所望の色が作成される。なお、フィルタの色は、ＲＧＢの３色に限られず、白、黄色、アンバー、水色などのフィルタを用いてもよいし、さらに他の色のフィルタを用いてもよい。各ホリゾントライト３Ｈは、各調光盤２に接続される。
【００７７】
調光制御部４２Ｃは、スポットライト３Ｓ又はホリゾントライト３Ｈにより照射される光の色（照射光色）を制御する。例えば、タッチパネル２０への入力により指定された色の光を照射するように、指定された色のフィルタが挿入されたホリゾントライト３Ｈの調光レベルを制御することで、照射光色を制御する。また、複数のホリゾントライト３Ｈを用いて、複数の色の光を合わせて指定された色を作成するようにしてもよい。
【００７８】
照明器具指定制御部４３Ｃは、ステージＳＴ上の所定の位置もしくはホリゾント幕の所定の位置を照射する照明器具３としてのスポットライト３Ｓ又はホリゾントライト３Ｈを指定する。このとき、タッチパネル２０を介して指定された照射位置及び照射光色に基づいて、スポットライト３Ｓ又はホリゾントライト３Ｈを、調光対象として指定する。
【００７９】
情報記憶部５０Ｃは、照明器具３の識別情報、その照明器具３による照射位置情報の他に、その照明器具３により照射される照射光色に係る照射光色情報、等を対応付けて記憶している。ホリゾントライト３Ｈについては、ホリゾントライト３Ｈの識別情報、そのホリゾントライト３Ｈによる照射位置情報の他に、そのホリゾントライト３Ｈにより照射される照射光色に係る照射光色情報を対応付けて記憶している。
【００８０】
次に、調光制御装置１Ｃの動作について説明する。
ここでは、主に、ホリゾントライト３Ｈにより色のついた光を投影させ、ステージＳＴ上に色をつけることを想定する。調光制御装置１Ｃは、ホリゾントライト３Ｈに対応する制御回路と、そのホリゾントライト３Ｈによる照射光色と、の関係づけを、ホリゾントライト３Ｈに挿入されたフィルタの色の情報により認識している。調光制御装置１Ｃは、所定の制御回路（例えば緑色のフィルタが挿入されたホリゾントライト３Ｈに接続された制御回路）の調光レベルを上げると、ステージＳＴが所定の色（例えば緑）に染まる、などを考慮しながら、シーンを作成する。
【００８１】
図１４は、表示部３０上に表示された撮影画像の一例を示す図である。図１４に示す例では、ＲＧＢの各色フィルタが挿入されたホリゾントライト３Ｈが、ステージＳＴの上部及び下部に、ステージＳＴに向かって左側（下手側）、中央、右側（上手側）の各位置に配置されている。ホリゾントライト３Ｈの配置位置、個数は、この例に限られない。
【００８２】
また、図１４に示すように、ホリゾントライト３Ｈとして、ホリゾント幕の上部を染めるアッパーホリゾントライト３ＵＰと、ホリゾント幕の下部を染めるロアーホリゾントライト３ＬＷと、を設けてもよい。この場合、制御部４０Ｃは、タッチパネル２０を介した入力について、タッチされた位置がホリゾント幕の上部であるか、下部であるかを認識する。
【００８３】
また、図１５に示すように、表示部３０の画面上に、撮影画像３０ｄとともに、カラーパレットが示されたパレット画像３０ｐが表示される。図１５に示す例では、撮影画像３０ｄとパレット画像３０ｐとが別領域に表示されているが、撮影画像とパレット画像とが一部重複して表示されてもよい。
【００８４】
ユーザは、パレット画像において、ホリゾント幕を照射したいＲＧＢ等の色にタッチする。また、表示部３０に表示された撮影画像におけるホリゾント幕において、光を照射したい位置をタッチする。すると、タッチパネル２０が入力を検知し、制御部４０Ｃが照射位置及び照射光色を認識する。そして、照明器具指定制御部４３Ｃは、この照射位置情報及び照射光色情報に対応付けて記憶された識別情報により識別されるホリゾントライト３Ｈを、調光対象として指定する。
【００８５】
例えば、図１５に示すように、ユーザが、表示部３０に表示されたカラーパレットにタッチすることで緑色を選択し、ホリゾント幕の上部をタッチする。すると、照明器具指定制御部４３Ｃは、アッパーホリゾントライト３ＵＰのうち、緑色のフィルタが挿入された照明器具４ＵＰを、調光対象のホリゾントライト３Ｈとして指定する。
【００８６】
続いて、調光制御部４２Ｃは、指定されたホリゾントライト３Ｈの調光を制御する。このとき、図１６に示すように、マルチタッチ操作により調光制御を行ってもよい。マルチタッチ操作による調光制御の方法は、第２の実施形態で説明した方法と同様である。これにより、表示部３０に表示された撮影画像を用いて、調光対象となるホリゾントライト３Ｈの指定及びホリゾントライト３Ｈの調光操作を、直感的に行うことができる。
【００８７】
このような本実施形態の調光制御装置１Ｃによれば、ホリゾント幕に照射する光の色を直感的に調整することが可能である。また、ユーザは、調光操作を行う調光室からステージＳＴ上を確認することができない状況であっても、照射光色の指示が反映されたことを、カメラ４により撮影された撮影画像で即時に確認することができる。
【００８８】
なお、ホリゾントライト３Ｈによる照射位置とスポットライト３Ｓ等による照射位置とが表示部３０上で重複している場合、表示部３０上でタッチされる位置によっては、いずれの照明器具３の調光を希望しているか不明な場合が想定される。このような状態を回避するため、制御部４０Ｃにより、第１のグループとしてのスポットライト３Ｓ等のグループ、第２のグループとしてのホリゾントライト３Ｈのグループなど、グルーピングをあらかじめ行い、情報記憶部５０Ｃに記憶しておいてもよい。情報記憶部５０Ｃには、例えば、グループの識別情報、そのグループに属するホリゾントライト３Ｈ又はスポットライト３Ｓ等の識別情報、などを記憶しておく。そして、例えばタッチパネル２０上に各グループの選択ボタンを設け、所望のグループをタッチパネル２０を介して選択する。この選択ボタンは、グループ選択部として機能する。
【００８９】
これにより、選択されたグループに属するスポットライト３Ｓ等又はホリゾントライト３Ｈが調光対象に指定されるので、意図しないスポットライト３Ｓ等又はホリゾントライト３Ｈが指定され、誤操作を行うことを防止することができる。
【００９０】
また、ホリゾントライト３Ｈに色フィルタを挿入することと同様に、色フィルタをスポットライト３Ｓ等に挿入してもよい。これにより、スポットライト３Ｓ等により所望の色のついた光で所望の位置を照射することができる。また、表示部３０により表示されたカラーパレットによりタッチパネル２０を介して色の選択を行うことで、直感的な操作で所望の色の光を照射するスポットライト３Ｓ等を選択することが可能になる。
【００９１】
上記説明したように、本発明の実施形態の調光制御装置１、１Ｂ及び１Ｃによれば、図１７に示すように、調光レベルの指示を行うための入力操作の確認、入力操作による調光レベルの表示部３０上での確認、ステージＳＴ上での照明器具３による明かりの確認、の全てを、表示部３０周辺のみを目視確認することで行うことができる。したがって、仕込みに要する時間を短縮し、かつ、誤入力を防止することが可能である。
【符号の説明】
【００９２】
１、１Ｂ、１Ｃ  調光制御装置
１０  画像取得部
２０  タッチパネル
３０  表示部
３０ａ〜３０ｄ  撮影画像
３０ｅ  パレット画像
４０、４０Ｂ、４０Ｃ  制御部
４１  画像処理部
４２、４２Ｂ、４２Ｃ  調光制御部
４３、４３Ｃ  照明器具指定制御部
５０、５０Ｃ  情報記憶部
６０  出力部
２  調光盤
３  照明器具
３Ｓ  スポットライト
３Ｈ  ホリゾントライト
３ＵＰ  アッパーホリゾントライト
３ＬＷ  ロアーホリゾントライト
４  カメラ
【図１】
0005652705.tif 000002
【図２】
0005652705.tif 000003
【図３】
0005652705.tif 000004
【図４】
0005652705.tif 000005
【図５】
0005652705.tif 000006
【図６】
0005652705.tif 000007
【図７】
0005652705.tif 000008
【図８】
0005652705.tif 000009
【図９】
0005652705.tif 000010
【図１０】
0005652705.tif 000011
【図１１】
0005652705.tif 000012
【図１２】
0005652705.tif 000013
【図１３】
0005652705.tif 000014
【図１４】
0005652705.tif 000015
【図１５】
0005652705.tif 000016
【図１６】
0005652705.tif 000017
【図１７】
0005652705.tif 000018
【図１８】
0005652705.tif 000019